(57)【要約】  本発明は、ユーザ機器をハンドオーバするためのサービスを提供するための、方法、基地局、および二重接続性システムを提供する。２次基地局の動作をリリースおよび追加すること、ならびにプロセスにおけるデータ送信問題を解決することを介して、本発明は、二重接続性システムにおける複数のケースにおいて、セルまたは基地局の間でのユーザ機器のハンドオーバのためのソリューションを提供する。
2017507581.tif 000002
【特許請求の範囲】
【請求項１】
二重接続性システムにおいてソース基地局からターゲット基地局へとユーザ機器をハンドオーバするための方法であって、前記ソース基地局および前記ターゲット基地局は共に二重接続性構成をサポートし、
前記ターゲット基地局で、ユーザ機器がハンドオーバを必要とする旨を決定した後、前記ソース基地局によって接続再構成情報を前記ユーザ機器に送信し、前記ソース基地局と共同で前記二重接続性サービスを前記ユーザ機器に提供する２次基地局にリリース要求を送信するステップと、
前記ソース基地局の前記２次基地局によって、前記ソース基地局にリリース応答を送信するステップと、
前記ソース基地局によって、ＳＮ状況を前記ターゲット基地局に送信し、前記ユーザ機器に関するデータを転送するステップと、
前記ターゲット基地局によって、前記ソース基地局から前記送信されたＳＮ状況および前記転送されたデータを受信し前記ユーザ機器との接続を確立するステップと、
を含み、
前記ターゲット基地局によって、追加要求を基地局に送信するステップであって、追加要求は、この基地局を前記ターゲット基地局と共同で前記二重接続性サービスを前記ユーザ機器に提供する２次基地局として追加することを要求するためのものである、送信するステップと、
前記ユーザ機器との接続を前記ターゲット基地局の前記２次基地局として確立するように、前記追加要求を受信する前記基地局によって、追加応答を前記ターゲット基地局に送信するステップと、
をさらに含む、方法。
【請求項２】
前記追加応答は、前記ユーザ機器に対して前記ターゲット基地局の前記２次基地局によって割り振られた専用ＲＡＣＨプリアンブルを含み、前記ユーザ機器がハンドオーバを必要とする旨を決定するプロセスは、前記ターゲット基地局によってハンドオーバ要求確認応答を前記ソース基地局に送信するステップを含み、ハンドオーバ要求確認応答は前記専用ＲＡＣＨプリアンブルを含み、前記ソース基地局によって送信された前記接続再構成情報は、前記ユーザ機器が前記ターゲット基地局の前記２次基地局への接続を確立するように、前記専用ＲＡＣＨプリアンブルを含む、請求項１に記載の方法。
【請求項３】
二重接続性システムにおいてソース基地局からターゲット基地局へとユーザ機器をハンドオーバするための方法であって、前記ソース基地局は二重接続性構成をサポートし、前記ターゲット基地局は二重接続性構成をサポートせず、
前記ターゲット基地局で、前記ユーザ機器がハンドオーバを必要とする旨を決定した後、前記ソース基地局によって接続再構成情報を前記ユーザ機器に送信し、前記ソース基地局と共同で前記二重接続性サービスを前記ユーザ機器に提供する２次基地局にリリース要求を送信するステップと、
前記ソース基地局の前記２次基地局によって、リリース応答を前記ソース基地局に送信するステップ、ならびに、前記ソース基地局または前記ターゲット基地局に、そのＳＮ状況を送信するステップおよび前記ユーザ機器に関するデータを転送するステップと、
前記ソース基地局によって、前記ターゲット基地局に、前記ＳＮ状況を送信するステップおよび前記ユーザ機器に関するデータを転送するステップであって、ＳＮ状況およびデータは、前記ソース基地局自体の前記ＳＮ状況およびデータを含むか、または、前記ソース基地局自体の前記ＳＮ状況およびデータならびに前記２次基地局から前記ソース基地局へと送信された前記ＳＮ状況およびデータを含む、送信および転送するステップと、
前記ターゲット基地局によって、前記ソース基地局からまたは前記ソース基地局および前記２次基地局から、前記送信されたＳＮ状況および前記転送されたデータを受信するステップ、ならびに前記ユーザ機器との接続を確立するステップと、
を含む、方法。
【請求項４】
二重接続性システムにおいてソース基地局からターゲット基地局へとユーザ機器をハンドオーバする方法であって、前記ソース基地局は二重接続性構成をサポートし、前記二重接続性構成の下で前記ソース基地局と共同でサービスを前記ユーザ機器に提供する前記２次基地局は、前記ターゲット基地局と同じ基地局であり、
前記ターゲット基地局で、前記ユーザ機器がハンドオーバを必要とする旨を決定した後、前記ソース基地局によって接続再構成情報を前記ユーザ機器に送信し、前記２次基地局にリリース要求を送信するステップであって、リリース要求は前記ユーザ機器とのその接続をリリースするように前記２次基地局に要求するためのものである、送信するステップと、
前記２次基地局によって、リリース応答を前記ソース基地局に送信し、そのＳＮ状況および前記ユーザ機器に関する前記データをそれ自体に記憶するステップと、
前記ソース基地局によって、前記ＳＮ状況を前記ターゲット基地局に送信し、前記ユーザ機器に関するデータを転送するステップと、
前記ターゲット基地局によって、前記ソース基地局からの前記送信されたＳＮ状況および前記転送されたデータを受信するステップ、ならびに前記ユーザ機器との接続を確立するステップと、
を含む、方法。
【請求項５】
二重接続性システムにおいてソース基地局からターゲット基地局へとユーザ機器をハンドオーバするための方法であって、前記ターゲット基地局は二重接続性構成をサポートし、ソース基地局は前記二重接続性構成をサポートせず、
前記ソース基地局によってハンドオーバ要求を前記ターゲット基地局に送信するステップと、
前記ターゲット基地局によってハンドオーバ要求確認応答を前記ソース基地局に送信するステップと、
前記ソース基地局によって、ＳＮ状況を前記ターゲット基地局に送信し前記ユーザ機器に関するデータを転送し接続再構成情報を前記ユーザ機器に送信するステップと、
前記ターゲット基地局によって、前記ソース基地局からの前記送信されたＳＮ状況および前記転送されたデータを受信するステップ、ならびに前記ユーザ機器との接続を確立するステップと、
を含み、
前記ターゲット基地局によって、追加要求を基地局に送信するステップであって、追加要求は、この基地局を、前記ターゲット基地局と共同で前記二重接続性サービスを前記ユーザ機器に提供する２次基地局として追加することを要求するためのものである、送信するステップと、
前記ユーザ機器との接続を前記ターゲット基地局の前記２次基地局として確立するように、前記追加要求を受信する前記基地局によって、追加応答を前記ターゲット基地局に送信するステップと、
をさらに含む、方法。
【請求項６】
二重接続性システムにおいてユーザ機器を１つのセルから他のセルへとハンドオーバする方法であって、前記セルおよび前記他のセルは前記同じ基地局に属し、前記基地局は二重接続性構成をサポートし、
前記ユーザ機器が前記基地局の１つのセルから前記他のセルへのハンドオーバを必要とする旨が決定された場合、前記基地局によって、前記基地局と共同で前記二重接続性サービスを前記ユーザ機器に提供する前記２次基地局にリリース要求を送信するステップと、
前記２次基地局によってリリース応答を前記基地局に送信するステップと、
前記基地局によって、前記ユーザ機器の前記ハンドオーバが完了した後に、追加要求を前記２次基地局に送信するステップと、
前記２次基地局によって、追加応答を前記基地局に送信するステップと、それによって前記基地局とのその接続を再確立するステップと、
を含む、方法。
【請求項７】
ユーザ機器を１つのセルから他のセルへとハンドオーバするための方法であって、前記セルおよび前記他のセルは同じ基地局に属し、前記基地局は二重接続性構成をサポートし、
前記ユーザ機器が前記基地局の１つのセルから他のセルへのハンドオーバを必要とする旨が決定された場合、前記基地局によって、前記基地局と共同で二重接続性サービスを前記ユーザ機器に提供する２次基地局に送信停止命令を送信するステップと、
前記基地局と前記２次基地局との間の前記接続を再確立するように、前記基地局によって、再構成情報および送信開始命令を前記２次基地局に送信し、前記ユーザ機器の前記ハンドオーバが完了した後、前記２次基地局のデータ送信を再開するステップと、
を含む、方法。
【請求項８】
二重接続性システムにおいてユーザ機器に対する２次基地局を変更するための方法であって、
前記ユーザ機器に共同で二重接続性サービスを提供する２次基地局が変更を必要とする旨をマスタ基地局が決定した場合、リリース要求を前記２次基地局に送信するステップと、
前記２次基地局によって、リリース応答を前記マスタ基地局に送信するステップと、
前記２次基地局によって、そのＳＮ状況を送信し前記ユーザ機器に関するデータを転送するステップと、
前記マスタ基地局によって、追加要求を送信するための１基地局を選択するステップであって、追加要求は、この基地局を、前記マスタ基地局と共同で前記二重接続性サービスを前記ユーザ機器に提供する２次基地局として追加することを要求するためのものである、選択するステップと、
前記追加要求を受信する前記基地局によって、前記マスタ基地局の新しい２次基地局となるように、前記マスタ基地局に追加応答を送信するステップと、
前記新しい２次基地局によって、前記ＳＮ状況および前記データを受信するステップ、ならびに前記ユーザ機器との接続を確立するステップと、
を含み、
前記ユーザ機器によって送信された前記２次基地局のリリース確認応答情報を、前記マスタ基地局によって前記２次基地局に転送し、前記ユーザ機器によって送信された前記２次基地局の追加確認応答情報を前記新しい２次基地局に転送するステップと、
をさらに含む、方法。
【請求項９】
二重接続性システムであって、ユーザ機器は前記二重接続性システムにおいてソース基地局からターゲット基地局へとハンドオーバすることが可能であり、前記ソース基地局および前記ターゲット基地局の両方が二重接続性構成をサポートし、前記ソース基地局は、
前記ターゲット基地局で、ユーザ機器がハンドオーバを必要とする旨を決定した後、接続再構成情報をユーザ機器に送信すること、および、前記ソース基地局と共同で前記二重接続性サービスを前記ユーザ機器に提供する２次基地局にリリース要求を送信することを、実行するように構成されたデバイスと、
前記ターゲット基地局にＳＮ状況を送信すること、および前記ユーザ機器に関するデータを転送することを、実行するように構成されたデバイスと、
を備え、
前記ソース基地局の前記２次基地局は、
リリース応答を前記ソース基地局に送信するように構成されたデバイスを備え、
前記ターゲット基地局は、
前記ソース基地局からの前記送信されたＳＮ状況および前記転送されたデータを受信すること、および前記ユーザ機器との接続を確立することを、実行するように構成されたデバイスと、
追加要求を基地局に送信するように構成されたデバイスであって、追加要求は、この基地局を、前記ターゲット基地局と共同で前記二重接続性サービスを前記ユーザ機器に提供する２次基地局として追加することを要求するためのものである、デバイスと、
を備え、
前記追加要求を受信する前記２次基地局は、
前記追加要求を受信する前記基地局が前記ユーザ機器との接続を前記ターゲット基地局の前記２次基地局として確立するように、追加応答を前記ターゲット基地局に送信するように構成されたデバイスを備える、
二重接続性システム。
【請求項１０】
二重接続性システムであって、ユーザ機器は前記二重接続性システムにおいてソース基地局からターゲット基地局へとハンドオーバすることが可能であり、前記ソース基地局は二重接続性構成をサポートし、前記ターゲット基地局は前記二重接続性構成をサポートせず、前記ソース基地局は、
前記ターゲット基地局で、前記ユーザ機器がハンドオーバを必要とする旨を決定した後、接続再構成情報を前記ユーザ機器に送信すること、および、前記ソース基地局と共同で前記二重接続性サービスを前記ユーザ機器に提供する２次基地局にリリース要求を送信することを、実行するように構成されたデバイスと、
前記ターゲット基地局にＳＮ状況を送信することおよび前記ユーザ機器に関するデータを転送することを、実行するように構成されたデバイスであって、ＳＮ状況およびデータは、前記ソース基地局自体のＳＮ状況およびデータを含むか、または、前記ソース基地局自体の前記ＳＮ状況およびデータならびに前記２次基地局から前記ソース基地局へと送信された前記ＳＮ状況およびデータを含む、デバイスと、
を備え、
前記ソース基地局の前記２次基地局は、
リリース応答を前記ソース基地局に送信すること、ならびに、前記ソース基地局またはターゲット基地局に、そのＳＮ状況を送信することおよび前記ユーザ機器に関するデータを転送することを、実行するように構成されたデバイスを備え、
前記ターゲット基地局は、
前記ソース基地局からの前記送信されたＳＮ状況および前記転送されたデータ、または、前記２次基地局および前記ソース基地局からの前記送信されたＳＮ状況および前記転送されたデータを受信すること、ならびに前記ユーザ機器との接続を確立することを、実行するように構成されたデバイスを備える、
二重接続性システム。
【請求項１１】
二重接続性システムであって、ユーザ機器は前記二重接続性システムにおいてソース基地局からターゲット基地局へとハンドオーバすることが可能であり、前記ソース基地局は二重接続性構成をサポートし、前記二重接続性構成の下で前記ソース基地局と共同でサービスを前記ユーザ機器に提供する前記２次基地局は、前記ターゲット基地局と同じ基地局であって、前記ソース基地局は、
前記ターゲット基地局で、前記ユーザ機器がハンドオーバを必要とする旨を決定した後、接続再構成情報を前記ユーザ機器に送信すること、および、前記ターゲット２次基地局にリリース要求を送信することを、実行するように構成されたデバイスであって、リリース要求は前記ユーザ機器との２次基地局としてのその接続をリリースするように前記ターゲット基地局に要求するためのものである、デバイスと、
前記ターゲット基地局にＳＮ状況を送信すること、および前記ユーザ機器に関するデータを転送することを、実行するように構成されたデバイスと、
を備え、
前記ターゲット基地局は、
リリース応答を前記ソース基地局に送信すること、および、そのＳＮ状況および前記ユーザ機器に関する前記データをそれ自体に記憶することを、実行するように構成されたデバイスと、
前記ソース基地局から送信されたＳＮ状況および転送されたデータを受信すること、ならびにユーザ機器との接続を確立することを、実行するように構成されたデバイスと、
を備える、二重接続性システム。
【請求項１２】
二重接続性システムであって、ユーザ機器は前記二重接続性システムにおいてソース基地局からターゲット基地局へとハンドオーバすることが可能であり、前記ターゲット基地局は二重接続性構成をサポートし、ソース基地局は前記二重接続性構成をサポートせず、前記ソース基地局は、
ハンドオーバ要求を前記ターゲット基地局に送信するように構成されたデバイスと、
前記ターゲット基地局にＳＮ状況を送信すること、および前記ユーザ機器に関するデータを転送すること、ならびに接続再構成情報を前記ユーザ機器に送信することを、実行するように構成されたデバイスと、
を備え、
前記ターゲット基地局は、
ハンドオーバ要求確認応答を前記ソース基地局に送信するように構成されたデバイスと、
前記ソース基地局からの前記送信されたＳＮ状況および前記転送されたデータを受信すること、ならびに前記ユーザ機器との接続を確立することを、実行するように構成されたデバイスと、
追加要求を基地局に送信するように構成されたデバイスであって、追加要求は、この基地局を、前記ターゲット基地局と共同で前記二重接続性サービスを前記ユーザ機器に提供する２次基地局として追加することを要求するためのものである、デバイスと、
を備え、
前記追加要求を受信する前記基地局は、
前記追加要求を受信する前記基地局が前記ユーザ機器との接続を前記ターゲット基地局の前記２次基地局として確立するように、追加応答を前記ターゲット基地局に送信するように構成されたデバイスを備える、
二重接続性システム。
【請求項１３】
二重接続性システムであって、ユーザ機器は前記二重接続性システムにおいて１つのセルから他のセルへとハンドオーバすることが可能であり、前記セルおよび前記他のセルは同じ基地局に属し、前記基地局は二重接続性構成をサポートし、前記基地局は、
前記ユーザ機器が前記基地局の１つのセルから前記他のセルへのハンドオーバを必要とする旨が決定された場合、前記基地局と共同で前記二重接続性サービスを前記ユーザ機器に提供する前記２次基地局にリリース要求を送信するように構成されたデバイスと、
前記ユーザ機器の前記ハンドオーバが完了した後に、追加要求を前記２次基地局に送信するように構成されたデバイスと、
を備え、
前記２次基地局は、
リリース応答を前記基地局に送信するように構成されたデバイスと、
追加応答を前記基地局に送信すること、それによって前記基地局とのその接続を再確立することを、実行するように構成されたデバイスと、
を備える、二重接続性システム。
【請求項１４】
基地局であって、ユーザ機器は前記基地局の１つのセルから他のセルへとハンドオーバすることが可能であり、前記セルおよび前記他のセルは同じ基地局に属し、前記基地局は二重接続性構成をサポートし、
前記ユーザ機器が前記基地局の１つのセルから他のセルへのハンドオーバを必要とする旨が決定された場合、前記基地局と共同で二重接続性サービスを前記ユーザ機器に提供する２次基地局に送信停止命令を送信するように構成されたデバイスと、
前記ユーザ機器の前記ハンドオーバが完了した後、前記基地局と前記２次基地局との間の接続を再確立するように、再構成情報および送信開始命令を前記２次基地局に送信すること、ならびに、前記２次基地局のデータ送信を再開することを、実行するように構成されたデバイスと、
を備える、基地局。
【請求項１５】
二重接続性システムであって、ユーザ機器に対する２次基地局が変更可能であり、マスタ基地局は、
前記ユーザ機器に共同で二重接続性サービスを提供する２次基地局が変更を必要とする旨が決定された場合、リリース要求を前記２次基地局に送信するように構成されたデバイスと、
追加要求を送信するために１基地局を選択するように構成されたデバイスであって、追加要求は、この基地局を、前記マスタ基地局と共同で前記二重接続性サービスを前記ユーザ機器に提供する２次基地局として追加することを要求するためのものである、デバイスと、
前記ユーザ機器によって送信された前記２次基地局のリリース確認応答情報を前記２次基地局に転送すること、および前記ユーザ機器によって送信された新しい２次基地局の追加確認応答情報を前記新しい２次基地局に転送することを、実行するように構成されたデバイスと、
を備え、
前記２次基地局は、
リリース応答を前記マスタ基地局に送信するように構成されたデバイスと、
そのＳＮ状況を送信すること、および前記ユーザ機器に関するデータを転送することを、実行するように構成されたデバイスと、
を備え、
追加要求を受信する前記基地局は、
前記マスタ基地局の新しい２次基地局となるように、前記マスタ基地局への前記追加応答を受信するように構成されたデバイスと、
前記ＳＮ状況および前記データを受信すること、ならびに前記ユーザ機器との接続を確立することを、実行するように構成されたデバイスと、
を備える、二重接続性システム。
【発明の詳細な説明】
【技術分野】
【０００１】
本発明は通信技術の分野に関し、より詳細には、ユーザ機器のハンドオーバにサービスを提供するための方法、基地局、および二重接続性システムに関する。
【背景技術】
【０００２】
二重接続性システムにおいて、ユーザ機器は一般に、マスタ・セルおよび２次セルとの二重／マルチ接続性を有する。一般にユーザ機器は、モビリティのロバスト性を維持するためにマクロ・セルに接続され、ユーザ機器は小規模セルとの２次接続性を介して分割トラフィックを実行する。ユーザ機器がマクロ・セルおよび小規模セルのカバレージ内に移動すると、ユーザ機器は二重接続性をサポートしているため、ユーザ機器のセルおよび／または基地局間のハンドオーバは複雑になる。
【０００３】
しかしながら従来技術では、二重接続性システムにおけるユーザ機器のハンドオーバ・ソリューションは提供されていない。
【発明の概要】
【発明が解決しようとする課題】
【０００４】
本発明の目的は、ユーザ機器のハンドオーバにサービスを提供するための方法、基地局、および二重接続性システムを提供することである。
【課題を解決するための手段】
【０００５】
本発明の一態様によれば、二重接続性システムにおいてソース基地局からターゲット基地局へとユーザ機器をハンドオーバするための方法が提供され、ソース基地局およびターゲット基地局は共に二重接続性構成をサポートし、方法は、
−ターゲット基地局で、ユーザ機器がハンドオーバを必要とする旨を決定した後、ソース基地局によって接続再構成情報をユーザ機器に送信し、ソース基地局と共同で二重接続性サービスをユーザ機器に提供する２次基地局にリリース要求を送信するステップと、
−ソース基地局の２次基地局によって、ソース基地局にリリース応答を送信するステップと、
−ソース基地局によって、ＳＮ状況をターゲット基地局に送信し、ユーザ機器に関するデータを転送するステップと、
−ターゲット基地局によって、ソース基地局から送信されたＳＮ状況および転送されたデータを受信しユーザ機器との接続を確立するステップと、
を含み、方法は、
−ターゲット基地局によって、追加要求を基地局に送信するステップであって、追加要求は、この基地局を、ターゲット基地局と共同で二重接続性サービスをユーザ機器に提供する２次基地局として追加することを要求するためのものである、送信するステップと、
−ユーザ機器との接続をターゲット基地局の２次基地局として確立するように、追加要求を受信する基地局によって、追加応答をターゲット基地局に送信するステップと、
をさらに含む。
【０００６】
本発明の別の態様によれば、二重接続性システムにおいてソース基地局からターゲット基地局へとユーザ機器をハンドオーバするための方法が提供され、ソース基地局は二重接続性構成をサポートし、ターゲット基地局は二重接続性構成をサポートせず、方法は、
−ターゲット基地局で、ユーザ機器がハンドオーバを必要とする旨を決定した後、ソース基地局によって接続再構成情報をユーザ機器に送信し、ソース基地局と共同で二重接続性サービスをユーザ機器に提供する２次基地局にリリース要求を送信するステップと、
−ソース基地局の２次基地局によって、リリース応答をソース基地局に送信するステップ、ならびに、ソース基地局またはターゲット基地局に、そのＳＮ状況を送信するステップおよびユーザ機器に関するデータを転送するステップと、
−ソース基地局によって、ターゲット基地局に、ＳＮ状況を送信するステップおよびユーザ機器に関するデータを転送するステップであって、ＳＮ状況およびデータは、ソース基地局自体のＳＮ状況およびデータを含むか、または、ソース基地局自体のＳＮ状況およびデータならびに２次基地局からソース基地局へと送信されたＳＮ状況およびデータを含む、送信および転送するステップと、
−ターゲット基地局によって、ソース基地局からまたはソース基地局および２次基地局から、送信されたＳＮ状況および転送されたデータを受信するステップ、ならびにユーザ機器との接続を確立するステップと、
を含む。
【０００７】
本発明の他の態様によれば、二重接続性システムにおいてソース基地局からターゲット基地局へとユーザ機器をハンドオーバする方法が提供され、ソース基地局は二重接続性構成をサポートし、二重接続性構成の下でソース基地局と共同でサービスをユーザ機器に提供する２次基地局は、ターゲット基地局と同じ基地局であって、方法は、
−ターゲット基地局で、ユーザ機器がハンドオーバを必要とする旨を決定した後、ソース基地局によって接続再構成情報をユーザ機器に送信し、２次基地局にリリース要求を送信するステップであって、リリース要求はユーザ機器とのその接続をリリースするように２次基地局に要求するためのものである、送信するステップと、
−２次基地局によって、リリース応答をソース基地局に送信し、そのＳＮ状況およびユーザ機器に関するデータをそれ自体に記憶するステップと、
−ソース基地局によって、ＳＮ状況をターゲット基地局に送信し、ユーザ機器に関するデータを転送するステップと、
−ターゲット基地局によって、ソース基地局から送信されたＳＮ状況および転送されたデータを受信するステップ、ならびにユーザ機器との接続を確立するステップと、
を含む。
【０００８】
本発明の他の態様によれば、二重接続性システムにおいてソース基地局からターゲット基地局へとユーザ機器をハンドオーバするための方法が提供され、ターゲット基地局は二重接続性構成をサポートし、ソース基地局は二重接続性構成をサポートせず、方法は、
−ソース基地局によってハンドオーバ要求をターゲット基地局に送信するステップと、
−ターゲット基地局によってハンドオーバ要求確認応答をソース基地局に送信するステップと、
−ソース基地局によって、ＳＮ状況をターゲット基地局に送信しユーザ機器に関するデータを転送し接続再構成情報をユーザ機器に送信するステップと、
−ターゲット基地局によって、ソース基地局から送信されたＳＮ状況および転送されたデータを受信するステップ、ならびにユーザ機器との接続を確立するステップと、
を含み、方法は、
−ターゲット基地局によって、追加要求を基地局に送信するステップであって、追加要求は、この基地局を、ターゲット基地局と共同で二重接続性サービスをユーザ機器に提供する２次基地局として追加することを要求するためのものである、送信するステップと、
−ユーザ機器との接続をターゲット基地局の２次基地局として確立するように、追加要求を受信する基地局によって、追加応答をターゲット基地局に送信するステップと、
をさらに含む。
【０００９】
本発明の他の態様によれば、二重接続性システムにおいてユーザ機器を１つのセルから他のセルへとハンドオーバする方法が提供され、セルおよび他のセルは同じ基地局に属し、基地局は二重接続性構成をサポートし、方法は、
−ユーザ機器が基地局の１つのセルから他のセルへのハンドオーバを必要とする旨が決定された場合、基地局によって、基地局と共同で二重接続性サービスをユーザ機器に提供する２次基地局にリリース要求を送信するステップと、
−２次基地局によってリリース応答を基地局に送信するステップと、
−基地局によって、ユーザ機器のハンドオーバが完了した後に、追加要求を２次基地局に送信するステップと、
−２次基地局によって、追加応答を基地局に送信するステップと、それによって基地局とのその接続を再確立するステップと、
を含む。
【００１０】
本発明の他の態様によれば、ユーザ機器を１つのセルから他のセルへとハンドオーバするための方法が提供され、セルおよび他のセルは同じ基地局に属し、基地局は二重接続性構成をサポートし、方法は、
−ユーザ機器が基地局の１つのセルから他のセルへのハンドオーバを必要とする旨が決定された場合、基地局によって、基地局と共同で二重接続性サービスをユーザ機器に提供する２次基地局に送信停止命令を送信するステップと、
−基地局と２次基地局との間の接続を再確立するように、基地局によって、再構成情報および送信開始命令を２次基地局に送信し、ユーザ機器のハンドオーバが完了した後、２次基地局のデータ送信を再開するステップと、
を含む。
【００１１】
本発明の他の態様によれば、二重接続性システムにおいてユーザ機器に対する２次基地局を変更するための方法が提供され、方法は、
−ユーザ機器に共同で二重接続性サービスを提供する２次基地局が変更を必要とする旨をマスタ基地局が決定した場合、リリース要求を２次基地局に送信するステップと、
−２次基地局によって、リリース応答をマスタ基地局に送信するステップと、
−２次基地局によって、そのＳＮ状況を送信しユーザ機器に関するデータを転送するステップと、
−マスタ基地局によって、追加要求を送信するための１基地局を選択するステップであって、追加要求は、この基地局を、マスタ基地局と共同で二重接続性サービスをユーザ機器に提供する２次基地局として追加することを要求するためのものである、選択するステップと、
−追加要求を受信する基地局によって、マスタ基地局の新しい２次基地局となるように、マスタ基地局に追加応答を送信するステップと、
−新しい２次基地局によって、ＳＮ状況およびデータを受信するステップ、ならびにユーザ機器との接続を確立するステップと、
を含む。
【００１２】
本発明の他の態様によれば、二重接続性システムが提供され、ユーザ機器は二重接続性システムにおいてソース基地局からターゲット基地局へとハンドオーバすることが可能であり、ソース基地局およびターゲット基地局の両方が二重接続性構成をサポートし、ソース基地局は、
ターゲット基地局で、ユーザ機器がハンドオーバを必要とする旨を決定した後、接続再構成情報をユーザ機器に送信すること、および、ソース基地局と共同で二重接続性サービスをユーザ機器に提供する２次基地局にリリース要求を送信することを、実行するように構成されたデバイスと、
ターゲット基地局にＳＮ状況を送信すること、およびユーザ機器に関するデータを転送することを、実行するように構成されたデバイスと、
を備え、
ソース基地局の２次基地局は、
リリース応答をソース基地局に送信するように構成されたデバイスを備え、
ターゲット基地局は、
ソース基地局から送信されたＳＮ状況および転送されたデータを受信すること、およびユーザ機器との接続を確立することを、実行するように構成されたデバイスと、
追加要求を基地局に送信するように構成されたデバイスであって、追加要求は、この基地局を、ターゲット基地局と共同で二重接続性サービスをユーザ機器に提供する２次基地局として追加することを要求するためのものである、デバイスと、
を備え、
追加要求を受信する２次基地局は、
追加要求を受信する基地局がユーザ機器との接続をターゲット基地局の２次基地局として確立するように、追加応答をターゲット基地局に送信するように構成されたデバイスを備える。
【００１３】
本発明の他の態様によれば、二重接続性システムが提供され、ユーザ機器は二重接続性システムにおいてソース基地局からターゲット基地局へとハンドオーバすることが可能であり、ソース基地局は二重接続性構成をサポートし、ターゲット基地局は二重接続性構成をサポートせず、ソース基地局は、
ターゲット基地局で、ユーザ機器がハンドオーバを必要とする旨を決定した後、接続再構成情報をユーザ機器に送信すること、および、ソース基地局と共同で二重接続性サービスをユーザ機器に提供する２次基地局にリリース要求を送信することを、実行するように構成されたデバイスと、
ターゲット基地局に、ＳＮ状況を送信することおよびユーザ機器に関するデータを転送することを、実行するように構成されたデバイスであって、ＳＮ状況およびデータは、ソース基地局自体のＳＮ状況およびデータを含むか、または、ソース基地局自体のＳＮ状況およびデータならびに２次基地局からソース基地局へと送信されたＳＮ状況およびデータを含む、デバイスと、
を備え、
ソース基地局の２次基地局は、
リリース応答をソース基地局に送信すること、ならびに、ソース基地局またはターゲット基地局に、そのＳＮ状況を送信することおよびユーザ機器に関するデータを転送することを、実行するように構成されたデバイスを備え、
ターゲット基地局は、
ソース基地局から送信されたＳＮ状況および転送されたデータ、または、２次基地局およびソース基地局から送信されたＳＮ状況および転送されたデータを受信すること、ならびにユーザ機器との接続を確立することを、実行するように構成されたデバイスを備える。
【００１４】
本発明の別の態様によれば、二重接続性システムが提供され、ユーザ機器は二重接続性システムにおいてソース基地局からターゲット基地局へとハンドオーバすることが可能であり、ソース基地局は二重接続性構成をサポートし、二重接続性構成の下でソース基地局と共同でサービスをユーザ機器に提供する２次基地局は、ターゲット基地局と同じ基地局であって、ソース基地局は、
ターゲット基地局で、ユーザ機器がハンドオーバを必要とする旨を決定した後、接続再構成情報をユーザ機器に送信すること、および、ターゲット２次基地局にリリース要求を送信することを、実行するように構成されたデバイスであって、リリース要求はユーザ機器との２次基地局としてのその接続をリリースするようにターゲット基地局に要求するためのものである、デバイスと、
ターゲット基地局にＳＮ状況を送信すること、およびユーザ機器に関するデータを転送することを、実行するように構成されたデバイスと、
を備え、
ターゲット基地局は、
リリース応答をソース基地局に送信すること、および、そのＳＮ状況およびユーザ機器に関するデータをそれ自体に記憶することを、実行するように構成されたデバイスと、
ソース基地局から送信されたＳＮ状況および転送されたデータを受信すること、ならびにユーザ機器との接続を確立することを、実行するように構成されたデバイスと、
を備える。
【００１５】
本発明の他の態様によれば、二重接続性システムが提供され、ユーザ機器は二重接続性システムにおいてソース基地局からターゲット基地局へとハンドオーバすることが可能であり、ターゲット基地局は二重接続性構成をサポートし、ソース基地局は二重接続性構成をサポートせず、ソース基地局は、
ハンドオーバ要求をターゲット基地局に送信するように構成されたデバイスと、
ターゲット基地局にＳＮ状況を送信すること、およびユーザ機器に関するデータを転送すること、ならびに接続再構成情報をユーザ機器に送信することを、実行するように構成されたデバイスと、
を備え、
ターゲット基地局は、
ハンドオーバ要求確認応答をソース基地局に送信するように構成されたデバイスと、
ソース基地局から送信されたＳＮ状況および転送されたデータを受信すること、ならびにユーザ機器との接続を確立することを、実行するように構成されたデバイスと、
追加要求を基地局に送信するように構成されたデバイスであって、追加要求は、この基地局を、ターゲット基地局と共同で二重接続性サービスをユーザ機器に提供する２次基地局として追加することを要求するためのものである、デバイスと、
を備え、
追加要求を受信する基地局は、
追加要求を受信する基地局がユーザ機器との接続をターゲット基地局の２次基地局として確立するように、追加応答をターゲット基地局に送信するように構成されたデバイスを備える。
【００１６】
本発明の他の態様によれば、二重接続性システムが提供され、ユーザ機器は二重接続性システムにおいて１つのセルから他のセルへとハンドオーバすることが可能であり、セルおよび他のセルは同じ基地局に属し、基地局は二重接続性構成をサポートし、基地局は、
ユーザ機器が基地局の１つのセルから他のセルへのハンドオーバを必要とする旨が決定された場合、基地局と共同で二重接続性サービスをユーザ機器に提供する２次基地局にリリース要求を送信するように構成されたデバイスと、
ユーザ機器のハンドオーバが完了した後に、追加要求を２次基地局に送信するように構成されたデバイスと、
を備え、
２次基地局は、
リリース応答を基地局に送信するように構成されたデバイスと、
追加応答を基地局に送信すること、それによって基地局とのその接続を再確立することを、実行するように構成されたデバイスと、
を備える。
【００１７】
本発明の他の態様によれば、基地局が提供され、ユーザ機器は基地局の１つのセルから他のセルへとハンドオーバすることが可能であり、セルおよび他のセルは同じ基地局に属し、基地局は二重接続性構成をサポートし、基地局は、
ユーザ機器が基地局の１つのセルから他のセルへのハンドオーバを必要とする旨が決定された場合、基地局と共同で二重接続性サービスをユーザ機器に提供する２次基地局に送信停止命令を送信するように構成されたデバイスと、
ユーザ機器のハンドオーバが完了した後、基地局と２次基地局との間の接続を再確立するように、再構成情報および送信開始命令を２次基地局に送信すること、ならびに、２次基地局のデータ送信を再開することを、実行するように構成されたデバイスと、
を備える。
【００１８】
本発明の他の態様によれば、二重接続性システムが提供され、ユーザ機器に対する２次基地局が変更可能であり、マスタ基地局は、
ユーザ機器に共同で二重接続性サービスを提供する２次基地局が変更を必要とする旨が決定された場合、リリース要求を２次基地局に送信するように構成されたデバイスと、
追加要求を送信するために１基地局を選択するように構成されたデバイスであって、追加要求は、この基地局を、マスタ基地局と共同で二重接続性サービスをユーザ機器に提供する２次基地局として追加することを要求するためのものである、デバイスと、
を備え、
２次基地局は、
リリース応答をマスタ基地局に送信するように構成されたデバイスと、
そのＳＮ状況を送信すること、およびユーザ機器に関するデータを転送することを、実行するように構成されたデバイスと、
を備え、
追加要求を受信する基地局は、
マスタ基地局の新しい２次基地局となるように、マスタ基地局への追加応答を受信するように構成されたデバイスと、
ＳＮ状況およびデータを受信すること、ならびにユーザ機器との接続を確立することを、実行するように構成されたデバイスと、
を備える。
【００１９】
従来技術に比べ、本発明は、様々なケースで二重接続性システムにおいて基地局またはセル間のユーザ機器のハンドオーバ方式およびデータ処理方式を提供するという利点を有する。
【００２０】
本発明の他の特徴、目的、および利点は、添付の図面を参照しながら非限定的な実施形態の詳細な説明を読むことで、より明らかとなろう。
【図面の簡単な説明】
【００２１】
【図１】本発明の好ましい一実施形態に従った、ソース基地局、ターゲット基地局、および２次基地局の間の関係を示す概略図である。
【図２】本発明の図１の概略図に基づく好ましいソリューションに従った方法を示すフロー図である。
【図３】本発明の図１の概略図に基づく他の好ましいソリューションに従った方法を示すフロー図である。
【図４】本発明の好ましい一実施形態に従った、ソース基地局、ターゲット基地局、および２次基地局の間の関係を示す概略図である。
【図５】本発明の図４の概略図に基づく好ましいソリューションに従った方法を示すフロー図である。
【図６】本発明の図４の概略図に基づく他の好ましいソリューションに従った方法を示すフロー図である。
【図７】本発明の好ましい一実施形態に従った、ソース基地局、ターゲット基地局、および２次基地局の間の関係を示す概略図である。
【図８】本発明の図７の概略図に基づく好ましいソリューションに従った方法を示すフロー図である。
【図９】本発明の好ましい一実施形態に従った、ソース基地局、ターゲット基地局、および２次基地局の間の関係を示す概略図である。
【図１０】本発明の図９の概略図に基づく好ましいソリューションに従った方法を示すフロー図である。
【図１１】本発明の好ましい一実施形態に従った、ソース基地局、ターゲット基地局、および２次基地局の間の関係を示す概略図である。
【図１２】本発明の図１１の概略図に基づく好ましいソリューションに従った方法を示すフロー図である。
【図１３】本発明の好ましい一実施形態に従った、基地局およびその下のセルの間、ならびに基地局と２次基地局との間の関係を示す概略図である。
【図１４】本発明の好ましい一実施形態に従った、基地局と２次基地局との間の関係を示す概略図である。
【図１５】本発明の図１４の概略図に基づく好ましいソリューションに従った方法を示すフロー図である。
【図１６】本発明の図１４の概略図に基づく別の好ましいソリューションに従った方法を示すフロー図である。
【発明を実施するための形態】
【００２２】
添付の図面において、同じかまたは同様の参照番号は同じかまたは同様の構成要素を表す。
【００２３】
本発明における二重接続性システムは、ユーザ機器とユーザ機器に接続された少なくとも２つの基地局を備え、少なくとも２つの基地局は、少なくとも１つのマスタ基地局（ＭｅＮＢ）および少なくとも１つの２次基地局（ＳｅＮＢ）を備える。二重接続性をサポートするユーザ・プレーン（user plane）構造は複数の様式を想定することが可能であり、たとえば、ユーザ・プレーン・アーキテクチャ１Ａまたはユーザ・プレーン・アーキテクチャ３Ｃを想定し、ユーザ・プレーン・アーキテクチャ１Ａは、１つの無線ベアラが１つの基地局のみによってサービスされること、すなわち無線ベアラが複数の基地局によって分離およびサービス提供され得ないことを指定し、ユーザ・プレーン・アーキテクチャ３Ｃは、１つの無線ベアラが複数の基地局によって分離およびサービス提供され得ることを指定する。さらにユーザ・プレーン・アーキテクチャ１Ａの場合、Ｓ１−Ｕは２次基地局で終端する。ユーザ・プレーン・アーキテクチャ３Ｃの場合、Ｓ１−Ｕはマスタ基地局内で終端し、マスタ基地局によって生成されたＰＤＣＰ（パケット・データ収束プロトコル）ＰＤＵ（パケット・データ・ユニット）が送信のために２次基地局に転送される。
【００２４】
以下、添付の図面および複数の実施形態を参照しながら本発明をさらに詳細に説明する。
【００２５】
実施形態１
本実施形態において、ユーザ機器のソース基地局およびターゲット基地局はどちらもハンドオーバ・プロセス中に二重接続性構成をサポートし、すなわちソース基地局およびターゲット基地局は、共同でユーザ機器に二重接続性サービスを提供する２次基地局を有することができる。本実施形態は、
ターゲット基地局で、ユーザ機器がハンドオーバを必要とする旨を決定した後、ソース基地局によって接続再構成情報をユーザ機器に送信し、ソース基地局と共同で二重接続性サービスをユーザ機器に提供する２次基地局にリリース要求を送信するステップと、
ソース基地局の２次基地局によって、ソース基地局にリリース応答を送信するステップと、
ソース基地局によって、ターゲット基地局にＳＮ状況を送信し、ユーザ機器に関するデータを転送するステップと、
ターゲット基地局によって、ソース基地局から送信されたＳＮ状況および転送されたデータを受信しユーザ機器との接続を確立するステップと、
さらに、ターゲット基地局によって、追加要求を基地局に送信するステップであって、追加要求は、この基地局を、ターゲット基地局と共同で二重接続性サービスをユーザ機器に提供する２次基地局として追加することを要求するためのものである、送信するステップと、
ユーザ機器との接続をターゲット基地局の２次基地局として確立するように、追加要求を受信する基地局によって、追加応答をターゲット基地局に送信するステップと、
を含む。
【００２６】
本実施形態に従った上記の方法は、図１および図４に示されたシナリオに適用可能である。
【００２７】
以下、図１に示されたシナリオについて説明する。
【００２８】
図１に示されるような概略関係から、ユーザ機器のハンドオーバ前に、ソース基地局と共同で二重接続性サービスをユーザ機器に提供する２次基地局（以下、ソース基地局の２次基地局と呼ぶ）が、ターゲット基地局へのユーザ機器のハンドオーバ後に、ターゲット基地局と共同で二重接続性サービスをユーザ機器に提供する２次基地局（以下、ターゲット基地局の２次基地局と呼ぶ）と同じ基地局であることがわかり、ターゲット基地局の２次基地局を決定することは、本明細書では詳細に説明されない複数の様式を想定し得る。
【００２９】
図２を参照すると、図２は図１に示されたシナリオの好ましいソリューションに適用される方法のフロー図である。
【００３０】
ステップＳ１０１において、ターゲット基地局で、ユーザ機器がハンドオーバを必要とする旨を決定した後、ソース基地局は接続再構成情報をユーザ機器に送信し、ソース基地局の２次基地局にリリース要求を送信する。本明細書では、接続再構成情報を使用して、ユーザ機器がターゲット基地局との接続を確立するように、ユーザ機器に関する新しい接続関係パラメータを構成することが可能であり、好ましくは、接続再構成情報は、ターゲット基地局とのその接続を確立するためにユーザ機器に関するパラメータを含むことが可能であり、例として接続再構成情報は、ＲＲＣ接続再構成情報（ＲＲＣＣｏｎｎｅｃｔｉｏｎＲｅｃｏｎｆｉｇｕｒａｔｉｏｎ）とすることができる。本明細書では、リリース要求は、２次基地局とユーザ機器との間の接続をリリースすることを要求するためのものであり、その後リリース要求を介して、ソース基地局はその２次基地局にユーザ機器との接続をリリースするように示すことができる。本明細書では、ソース基地局が接続再構成情報を送信するステップは、ソース基地局がリリース要求を送信するステップと同時に実行することができる。
【００３１】
ユーザ機器のハンドオーバに関するトリガ条件は、たとえばユーザ機器のロケーション移動、ユーザ機器のチャネル変更など、様々であり得ることに留意されたい。その上、好ましくは、ユーザ機器がハンドオーバを必要とする旨をソース基地局およびターゲット基地局が決定するプロセスは、ソース基地局がユーザ機器のハンドオーバ決定を実行するステップ、ソース基地局がハンドオーバ要求をターゲット基地局に送信するステップ、ターゲット基地局がアクセスを決定しターゲット基地局がハンドオーバ要求確認応答をソース基地局に送信するステップなどを含むことができる。
【００３２】
ステップＳ１０２において、ソース基地局の２次基地局はリリース応答をソース基地局に送信する。
【００３３】
本明細書では、ユーザ機器のハンドオーバにより、２次基地局内のユーザ機器に関するデータおよび他の情報は対応する処理を必要とする。本明細書では、ソース基地局の２次基地局によって採用され得る動作は、以下を含むがこれらに限定されない。
１）ソース基地局の２次基地局はリリース応答を送信した後、そのＳＮ（シーケンス番号）状況をソース基地局に送信し、ユーザ機器に関するデータを転送し、次いでソース基地局は、ＳＮ状況およびソース基地局自体のデータ、ならびに２次基地局によってソース基地局に送信されたＳＮ状況およびデータを、後続のステップＳ１０３において、ターゲット基地局にまとめて送信する。
２）リリース応答を送信した後、２次基地局は、ターゲット基地局にそのＳＮ状況を送信し、ユーザ機器に関するデータを転送する。このケースでは、ステップＳ１０１においてソース基地局によって送信されるリリース要求は、ターゲット基地局の識別情報、たとえばターゲット基地局のＩＤを含む。２次基地局は、ターゲット基地局の識別情報に基づいてターゲット基地局との通信を確立すること、たとえばターゲット基地局とのＸｎインターフェースを確立することが可能であり、それによってＳＮ状況およびデータを送信する。
３）リリース応答を送信した後、２次基地局はそのＳＮ状況およびユーザ機器に関するデータをそれ自体に記憶する。
【００３４】
上記の動作１）および動作２）は、ステップＳ１０２とステップＳ１０３との間で実行可能である。
【００３５】
ステップＳ１０３において、ソース基地局はターゲット基地局にＳＮ状況を送信し、ユーザ機器に関するデータを転送する。
【００３６】
本明細書では、ステップＳ１０２の後に、ソース基地局の２次基地局がＳＮ状況およびデータをソース基地局に送信しない場合、ステップＳ１０３において、ソース基地局によってターゲット基地局に送信されたＳＮ状況および転送データは、ソース基地局自体のＳＮ状況およびユーザ機器に関するデータのみを含み、ステップＳ１０２の後に、ソース基地局の２次基地局がＳＮ状況およびデータをソース基地局に送信する場合、ソース基地局によってターゲット基地局に送信されたＳＮ状況および転送データは、ソース基地局自体のＳＮ状況およびデータならびに２次基地局からソース基地局に送信されたＳＮ状況およびデータを含む。
【００３７】
ステップＳ１０４において、ターゲット基地局はソース基地局から送信されたＳＮ状況および転送されたデータを受信し、ユーザ機器との接続を確立する。
【００３８】
好ましくは、ターゲット基地局はランダム・アクセスを介してユーザ機器への接続を確立することができる。ユーザ機器はターゲット基地局との接続を確立した後、接続再構成情報完了情報（たとえば、ＲＲＣＣｏｎｎｅｃｔｉｏｎＲｅｃｏｎｆｉｇｕｒａｔｉｏｎＣｏｍｐｌｅｔｅ）をターゲット基地局に送信することができる。さらに接続再構成完了情報を受信した後、ターゲット基地局はパスをハンドオーバするためにＭＭＥ（モビリティ管理エンティティ）およびＳ−ＧＷゲートウェイとさらに対話し、それによってユーザ機器のハンドオーバを完了することができる。
【００３９】
ステップＳ１０５において、ターゲット基地局は追加要求を基地局に送信し、追加要求は、この基地局を、ターゲット基地局と共同で二重接続性サービスをユーザ機器に提供する２次基地局として追加することを要求するためのものである。好ましい本ソリューションにおいて、この基地局はソース基地局の２次基地局である。
【００４０】
好ましくは、追加要求は２次基地局の追加に関する任意の情報を含むことができる。好ましくは、追加要求は、１）Ｅ−ＲＡＢ（進化型無線アクセス・ベアラ）パラメータ、およびユーザ・プレーン・オプションに対応するＴＮＬアドレス情報などを含むがこれらに限定されない、Ｅ−ＲＡＢ機構、２）ＵＥ機能、３）ユーザ機器の現在の無線リソース構成などを含むことができるが、これらに限定されない。
【００４１】
ステップＳ１０６において、追加要求を受信する基地局は、追加要求を受信する基地局がユーザ機器との接続をターゲット基地局の２次基地局として確立するように、追加応答をターゲット基地局に送信する。
【００４２】
具体的に言えば、追加応答を受信した後、ターゲット基地局は２次基地局がユーザ機器との接続を確立するように、接続再構成情報、たとえばＲＲＣ接続再構成情報をユーザ機器に送信することができる。
【００４３】
基地局は、ランダム・アクセス式でユーザ機器との接続を確立することができることに留意されたい。好ましくは競合を避けるために、２次基地局は専用ＲＡＣＨプリアンブルをユーザ機器に割り振ることが可能であり、２次基地局によって送信される追加応答は、割り振られた専用ＲＡＣＨ（ランダム・アクセス・チャネル）プリアンブルを含む。次いで、ユーザ機器がターゲット基地局の２次基地局への接続を確立するように、ターゲット基地局が追加応答を受信した後にユーザ機器に送信される接続再構成情報は、専用ＲＡＣＨプリアンブルを含む。
【００４４】
好ましい本ソリューションでは、ステップＳ１０５およびステップＳ１０６はユーザ機器のハンドオーバの完了後に実行される。しかしながら別の好ましい実施形態として、ステップＳ１０５およびステップＳ１０６は図３に示されるように、ユーザ機器がハンドオーバを必要とする旨をソース基地局およびターゲット基地局が決定するプロセスで実行され得る。
【００４５】
ユーザ機器がハンドオーバを必要とする旨をソース基地局が決定した場合、ステップＳ１０７において、ソース基地局はハンドオーバ要求をターゲット基地局に送信する。
【００４６】
ハンドオーバ要求は二重接続性に関する情報を含むことができる。たとえば、１Ａまたは３Ｃなどの二重接続性タイプ、別の例ではたとえばマスタ基地局によってサービスされる無線ベアラ、２次基地局によってサービスされる無線ベアラ、および／または、マスタ基地局および２次基地局によって共同でサービスされる無線ベアラなどのＲＢ（無線ベアラ）タイプ、別の例ではＲＢの二重接続性構成情報などである。
【００４７】
ハンドオーバ要求を受信した後、ターゲット基地局はステップＳ１０５を実行することが可能であり、２次基地局はステップＳ１０６を実行し、次いでステップＳ１０８においてターゲット基地局は、ステップＳ１０６において送信された追加応答に基づいてワイヤレス・リソース再構成が完了した後、ハンドオーバ要求確認応答をソース基地局に送信することができる。
【００４８】
好ましくは、追加応答は、ユーザ機器に対して２次基地局によって割り振られた専用ＲＡＣＨプリアンブルを含む。ステップＳ１０８において送信されるハンドオーバ要求確認応答は、専用ＲＡＣＨプリアンブルを含む。次いでステップＳ１０１’においてソース基地局によって送信される接続再構成情報は、ユーザ機器がターゲット基地局の２次基地局との接続を確立するように、専用ＲＡＣＨプリアンブルを含む。
【００４９】
次に、図２に示された好ましい本ソリューションではステップＳ１０２、Ｓ１０３、およびＳ１０４が例示されており、本明細書では詳細に説明されない。
【００５０】
ユーザ機器のハンドオーバが完了すると、ターゲット基地局は、Ｅ−ＲＡＢサービスを調整するように、二重接続性構成を更新するための再構成要求を送信できることに留意されたい。ソース基地局とターゲット基地局の負荷条件およびチャネル品質は異なるため、以前の二重接続性構成は、ハンドオーバ後の新しい二重接続性リンクによって必ずしも効果的に使用されるとは限らない。したがって、マスタ基地局が変更された場合、新しい調整が実行可能である。
【００５１】
好ましい本ソリューションにおいて、２次基地局のリリースは２次基地局の追加前に発生することに留意されたい。したがって、現在の二重接続性構成が、１Ａに指定されるように１つの無線ベアラが１つの基地局によってのみサービスされるように制限した場合、リリース応答を送信した後、２次基地局はそのＳＮ状況およびユーザ機器に関するデータをそれ自体に記憶することが可能であり、その上、２次基地局のターゲット基地局およびユーザ機器への接続が再確立されると、２次基地局はユーザ機器へのデータの送信を続行することができる。しかしながら、現在の二重接続性構成が、３Ｃに指定されるように１つの無線ベアラが複数の基地局によってサービスされるように制限した場合、ＰＤＣＰ層はマスタ基地局内にあり、マスタ基地局はソース基地局からターゲット基地局へと変化するため、ＰＤＣＰ層はリセットされる必要があり、キーも変更する必要がある。したがって、マスタ基地局および２次基地局内にバッファリングされ、まだ送信されていないＰＤＣＰ  ＰＤＵの場合、新しいキーに基づいて再作成される必要がある。好ましい本ソリューションにおいて、２次基地局からマスタ基地局へのデータ転送は実行されない可能性があるが、ターゲット基地局が送信および再作成される必要のあるＰＤＣＰ  ＰＤＵに関して明確に理解しているように、ＳＮ状況をターゲット基地局に通知することができる。
【００５２】
ターゲット基地局がハンドオーバ要求確認応答を送信する前にステップＳ１０５およびステップＳ１０６が実行される場合、ステップＳ１０５およびステップＳ１０６はＸｎインターフェースを通過し、ハンドオーバ要求確認応答を送信するステップを遅延させることに留意されたい。したがって、ターゲット基地局がハンドオーバ要求確認応答を送信する前にステップＳ１０５およびステップＳ１０６を実行するソリューションは、ソース基地局とターゲット基地局との間、およびマスタ基地局と２次基地局との間のＸｎインターフェースの送信遅延がより小さい、たとえば遅延が２〜５ｍｓであるシナリオに、より好適である。また、ユーザ機器のハンドオーバの完了後にステップＳ１０５およびステップＳ１０６を実行するソリューションは、ソース基地局とターゲット基地局との間、およびマスタ基地局と２次基地局との間のＸｎインターフェースの送信遅延が相対的に大きいシナリオに、より好適である。
【００５３】
以下、図４に示されたシナリオについて説明する。
【００５４】
図４に示された概略関係から、ソース基地局の２次基地局とターゲット基地局の２次基地局とは異なることがわかる。
【００５５】
図５を参照されたい。図５は、図４に示されたようなシナリオの好ましいソリューションに適用される方法のフロー図を示す。本明細書では、ステップＳ１０１、ステップＳ１０２、ステップＳ１０３、ステップＳ１０４、ステップＳ１０５、およびステップＳ１０６はすべて、図２の好ましいソリューションにおける対応するステップと同一または同様である。
【００５６】
好ましい本ソリューションは、主に、図２に示されたような好ましいソリューションでは、ソース基地局の２次基地局１はＳＮ状況およびユーザ機器に関するデータをそれ自体に記憶するか、あるいはターゲット基地局に直接またはソース基地局を介して送信することができるという点で、図２に示された好ましいソリューションとは異なる。しかしながら、好ましい本ソリューションにおいて、ソース基地局の２次基地局１によってサービスされる無線ベアラと、ターゲット基地局の２次基地局２によってサービスされる無線ベアラとが同一である場合、ソース基地局の２次基地局１はＳＮ状況をターゲット基地局の２次基地局２に送信し、ユーザ機器に関するデータを転送するが、ソース基地局の２次基地局１によってサービスされる無線ベアラと、ターゲット基地局の２次基地局２によってサービスされる無線ベアラとが異なる場合、ソース基地局の２次基地局１はＳＮ状況をターゲット基地局に送信し、ユーザ機器に関するデータを転送する。
【００５７】
図６を参照すると、図４に示されたようなシナリオに適用されるさらに好ましいソリューションに従った方法のフロー図である。本明細書では、ステップＳ１０１’、Ｓ１０２、Ｓ１０３、Ｓ１０４、Ｓ１０５、Ｓ１０６、Ｓ１０７、およびＳ１０８はすべて、図３に示されたような好ましいソリューションにおける対応するステップと同一または同様である。
【００５８】
好ましい本ソリューションは、主に、図３に示されたような好ましいソリューションでは、ソース基地局の２次基地局１はＳＮ状況およびユーザ機器に関するデータをそれ自体に記憶できるという点で、図３を参照しながら示した好ましいソリューションとは異なる。しかしながら、好ましい本ソリューションにおいて、ソース基地局の２次基地局１によってサービスされる無線ベアラとターゲット基地局の２次基地局２によってサービスされる無線ベアラとが同一である場合、ソース基地局の２次基地局１はＳＮ状況をターゲット基地局の２次基地局２に送信し、ユーザ機器に関するデータを転送するが、ソース基地局の２次基地局１によってサービスされる無線ベアラとターゲット基地局の２次基地局２によってサービスされる無線ベアラとが異なる場合、ソース基地局の２次基地局１はＳＮ状況をターゲット基地局に送信し、ユーザ機器に関するデータを転送する。
【００５９】
実施形態２
本実施形態では、図７に示されるように、ユーザ機器のソース基地局はハンドオーバ・プロセス中に二重接続性構成をサポートし、ユーザ機器のターゲット基地局はハンドオーバ・プロセス中に二重接続性構成をサポートしない。言い換えれば、ソース基地局は共同でユーザ機器に二重接続性サービスを提供する２次基地局を有し得るが、ターゲット基地局は共同でユーザ機器に二重接続性サービスを提供する２次基地局有さない。本実施形態のステップについては、図８を参照されたい。
【００６０】
ステップＳ２０１において、ターゲット基地局で、ユーザ機器がハンドオーバを必要とする旨を決定した後、ソース基地局は接続再構成情報をユーザ機器に送信し、ソース基地局と共同でユーザ機器に二重接続性サービスを提供する２次基地局にリリース要求を送信するが、ここで、ユーザ機器がハンドオーバを必要とする旨をソース基地局およびターゲット基地局が決定するプロセスは、ソース基地局によってハンドオーバ要求をターゲット基地局に送信しターゲット基地局によってハンドオーバ要求確認応答をソース基地局に送信するステップを含む。
【００６１】
本明細書では、ターゲット基地局が二重接続性構成をサポートしているか否かをソース基地局が確信できない場合、ソース基地局は二重接続性に関する情報をハンドオーバ要求に含める。たとえば１Ａまたは３Ｃなどの二重接続性タイプ、別の例ではたとえばマスタ基地局によってサービスされる無線ベアラ、２次基地局によってサービスされる無線ベアラ、および／または、マスタ基地局および２次基地局によって共同でサービスされる無線ベアラなどのＲＢ（無線ベアラ）タイプ、別の例ではＲＢの二重接続性構成情報などである。ターゲット基地局が二重接続性構成をサポートしていない旨をソース基地局が事前に決定した場合、ユーザ機器がハンドオーバを必要とする旨をソース基地局およびターゲット基地局が決定するプロセス中に、ソース基地局は二重接続性に関する情報をハンドオーバ要求に含めないことになる。
【００６２】
あるいは、ソース基地局は現在のセル構成をハンドオーバ要求内でターゲット基地局に送信し、次いでターゲット基地局はユーザ機器を単一接続性に構成し、ソース基地局によって送信される接続再構成情報を介してユーザ機器に単一接続性の構成を通知する。次いで、ユーザ機器が接続再構成情報に基づいてそれ自体を単一接続として構成した後、２次基地局は自動的にリリースされる。
【００６３】
ステップＳ２０２において、ソース基地局の２次基地局はリリース応答をソース基地局に送信し、ソース基地局またはターゲット基地局に、そのＳＮ状況を送信し、ユーザ機器に関するデータを転送する。
【００６４】
ステップＳ２０３において、ソース基地局はＳＮ状況をターゲット基地局に送信し、ユーザ機器に関するデータを転送するが、ソース基地局によって送信されるＳＮ状況およびデータは、ＳＮ状況およびソース基地局自体のデータを含むか、またはＳＮ状況およびソース基地局自体のデータならびに２次基地局によってソース基地局に送信されたＳＮ状況およびデータを含む。
【００６５】
本明細書では、ステップＳ２０２で、２次基地局がソース基地局にそのＳＮ状況を送信し、ユーザ機器に関するデータを転送する場合、ステップＳ２０３で、ソース基地局によって送信されたＳＮ状況およびデータは、ソース基地局自体のＳＮ状況およびデータならびに２次基地局によってソース基地局に送信されたＳＮ状況およびデータを含むが、ステップＳ２０２で、２次基地局がターゲット基地局にそのＳＮ状況を送信し、ユーザ機器に関するデータを転送する場合、ステップＳ２０３で、ソース基地局によって送信されたＳＮ状況およびデータは、ソース基地局自体のＳＮ状況およびデータを含む。
【００６６】
ステップＳ２０４において、ターゲット基地局はソース基地局によって送信されたＳＮ状況および転送されたデータを受信するか、またはソース基地局および２次基地局によって送信されたＳＮ状況および転送されたデータを受信し、ユーザ機器との接続を確立する。
【００６７】
本明細書では、ステップＳ２０２において、２次基地局がソース基地局にそのＳＮ状況を送信し、ユーザ機器に関するデータを転送する場合、ステップＳ２０４において、ターゲット基地局はソース基地局によって送信されたＳＮ状況および転送されたデータを受信するが、ステップＳ２０２において、２次基地局がターゲット基地局にそのＳＮ状況を送信し、ユーザ機器に関するデータを転送する場合、ステップＳ２０４において、ターゲット基地局はソース基地局および２次基地局によって送信されたＳＮ状況および転送されたデータを受信する。
【００６８】
実施形態３
本実施形態において、ユーザ機器のソース基地局は、ハンドオーバ・プロセス中に二重接続性構成をサポートし、すなわちソース基地局は共同でユーザ機器に二重接続性サービスを提供する２次基地局を有し得、図９に示されるように、ソース基地局の２次基地局およびターゲット基地局は同じ基地局である。本実施形態のステップは図１０に示されている。
【００６９】
ステップＳ３０１において、ターゲット基地局で、ユーザ機器がハンドオーバを必要とする旨を決定した後、ソース基地局は接続再構成情報をユーザ機器に送信し、リリース要求を２次基地局（すなわちターゲット基地局）に送信し、リリース要求は、２次基地局とユーザ機器との間の接続をリリースするように要求するためのものである。
【００７０】
ステップＳ３０２において、２次基地局はリリース応答をソース基地局に送信し、そのＳＮ状況およびユーザ機器に関するデータをそれ自体に記憶する。
【００７１】
ステップＳ３０３において、ソース基地局はターゲット基地局にＳＮ状況を送信し、ユーザ機器に関するデータを転送する。
【００７２】
好ましくは、ソース基地局がユーザ機器に関するデータをターゲット基地局に転送する方法は、以下を含むがこれらに限定されない。
１）完全にソース基地局によってサービスされる無線ベアラ、たとえば１Ａタイプの無線ベアラの場合、ソース基地局は、無線ベアラ上の送信されたＳＮ状況およびユーザ機器に関するすべてのデータをターゲット基地局に転送する。
２）ソース基地局およびターゲット基地局によって共同でサービスされる無線ベアラ、たとえば３Ｃタイプの無線ベアラの場合、ソース基地局は、無線ベアラ上の送信されたＳＮ状況およびソース基地局によってサービスされるユーザ機器に関するデータをターゲット基地局に転送する。
【００７３】
ステップＳ３０４において、ターゲット基地局はソース基地局から送信されたＳＮ状況および転送されたデータを受信する。
【００７４】
ターゲット基地局はすでに２次基地局としてユーザ機器に接続されているため、本実施形態において、ターゲット基地局はランダム・アクセスを介してユーザ機器との接続を確立するステップを実行する必要がないことに留意されたい。
【００７５】
好ましくは、ソース基地局によって送信された接続再構成情報に基づいて構成が完了した後、ユーザ機器は接続再構成完了情報、たとえばＲＲＣＣｏｎｎｅｃｔｉｏｎＲｅｃｏｎｆｉｇｕｒａｔｉｏｎＣｏｍｐｌｅｔｅをターゲット基地局に送信することが可能である。さらに、接続再構成完了情報を受信した後、ターゲット基地局はＭＭＥおよびＳ−ＧＷとの対話を介してさらにパスをハンドオーバし、それによってユーザ機器のハンドオーバを完了させることができる。
【００７６】
実施形態４
本実施形態において、ユーザ機器のターゲット基地局はハンドオーバ・プロセス中に二重接続性構成をサポートし、ソース基地局は二重接続性構成をサポートしない。言い換えれば、図１１に示されるように、ターゲット基地局は共同で二重接続性サービスをユーザ機器に提供する２次基地局を有し得るが、ソース基地局は共同で二重接続性サービスをユーザ機器に提供する２次基地局を有さない。
【００７７】
図１２を参照されたい。図１２は、図１１に示されるようなシナリオの好ましいソリューションに適用される方法のフロー図を示す。
【００７８】
ソース基地局がユーザ機器のハンドオーバを決定した場合、ステップＳ４０１において、ソース基地局はハンドオーバ要求をターゲット基地局に送信する。
【００７９】
ターゲット基地局はアクセスを決定した場合、ステップＳ４０２において、ターゲット基地局は追加要求を基地局に送信し、追加要求は、ターゲット基地局と共同で二重接続性サービスをユーザ機器に提供する２次基地局としてこの基地局を追加するように要求するためのものである。
【００８０】
好ましくは、追加要求は２次基地局の追加に関する任意の情報を含むことができる。好ましくは、追加要求は、１）Ｅ−ＲＡＢパラメータ、ユーザ・プレーン・オプションに対応するＴＮＬアドレス情報などを含むがこれらに限定されない、Ｅ−ＲＡＢ機構、２）ＵＥ機能、３）ユーザ機器の現在の無線リソース構成などを含むことができるが、これらに限定されない。
【００８１】
ステップＳ４０３において、追加要求を受信する基地局は、追加要求を受信する基地局がユーザ機器との接続をターゲット基地局の２次基地局として確立するように、追加応答をターゲット基地局に送信する。
【００８２】
好ましくは、追加要求を受信した後、２次基地局内のＲＲＭが追加要求の許可を決定した場合、２次基地局のＲＲＭは無線リソースを構成し、ユーザ・プレーン・オプション、たとえば１Ａまたは３Ｃに基づいて無線リソースを決定する。２次基地局は追加応答内にその新しい無線リソース構成を含むことが可能であり、たとえばユーザ・プレーン・アーキテクチャ１Ａの場合、新しい無線リソース構成は、実際の条件に従ったそれぞれのＥ−ＲＡＢのＳ１ダウンリンクＴＮＬ（移送ネットワーク層）アドレス情報を含むことが可能であり、ユーザ・プレーン・アーキテクチャ３Ｃの場合、新しいワイヤレス・リソース構成は、Ｘ２およびダウンリンクＴＮＬアドレス情報などを含むことができる。
【００８３】
好ましくは競合を避けるために、２次基地局はユーザ機器に対して専用ＲＡＣＨプリアンブルを割り振ることが可能であり、２次基地局によって送信される追加応答は、専用ＲＡＣＨプリアンブルを含む。
【００８４】
ステップＳ４０４において、ターゲット基地局はハンドオーバ要求確認応答をソース基地局に送信する。
【００８５】
好ましくは、ターゲット基地局は追加応答に基づいてワイヤレス・リソースの再構成を実行し、ハンドオーバ要求確認応答を送信する。
【００８６】
好ましくは、追加応答が専用ＲＡＣＨプリアンブルを含む場合、ハンドオーバ要求確認応答も専用ＲＡＣＨプリアンブルを含むことができる。
【００８７】
ステップＳ４０５において、ソース基地局はターゲット基地局にＳＮ状況を送信し、ユーザ機器に関するデータを転送し、接続再構成情報をユーザ機器に送信する。
【００８８】
好ましくは、ターゲット基地局によって送信されるハンドオーバ要求確認応答が専用ＲＡＣＨプリアンブルを含む場合、ユーザ機器がターゲット基地局の２次基地局への接続を確立するように、ソース基地局によって送信される接続再構成情報も専用ＲＡＣＨプリアンブルを含むことができる。
【００８９】
ステップＳ４０６において、ターゲット基地局はソース基地局から送信されたＳＮ状況および転送されたデータを受信し、ユーザ機器との接続を確立する。
【００９０】
ターゲット基地局は、２次基地局と共同で二重接続性サービスをユーザ機器に提供できるように、ソース基地局によって提供されたＳＮ状況およびデータの一部を２次基地局に送信することになることに留意されたい。
【００９１】
上記の好ましいソリューションにおいて、ステップＳ４０２およびＳ４０３はステップＳ４０１とステップＳ４０４との間で実行される。この好ましいソリューションは、ソース基地局とターゲット基地局との間、およびマスタ基地局と２次基地局との間のＸｎインターフェースの遅延が相対的に短いシナリオに、より好適である。
【００９２】
本実施形態の他の好ましいソリューションとして、好ましい本ソリューションは、主に、好ましい本ソリューションにおけるステップＳ４０２およびＳ４０３がステップＳ４０４の後で実行され得るという点、好ましくは、ステップＳ４０２およびＳ４０３が、ステップＳ４０４とソース基地局によって接続再構成情報を送信するステップとの間で実行され得るという点で、以前の好ましいソリューションとは異なる。好ましい本ソリューションは、ソース基地局とターゲット基地局との間、およびマスタ基地局と２次基地局との間のＸｎインターフェース遅延が相対的に長いシナリオに、適合され得る。
【００９３】
本ソリューションにおいて、２次基地局によって送信される追加応答は、ユーザ機器に対してターゲット基地局の２次基地局によって割り振られた専用ＲＡＣＨプリアンブルを含むことに留意されたい。ターゲット基地局は、ユーザ機器がソース基地局によって送信された接続再構成情報に基づいて再構成を完了し、接続再構成完了情報をターゲット基地局に送信した後、接続再構成情報をユーザ機器に送信することが可能であり、ユーザ機器がターゲット基地局の２次基地局との接続を確立するように、ターゲット基地局によって送信される接続再構成情報は専用ＲＡＣＨプリアンブルを含む。
【００９４】
実施形態５
本実施形態において、二重接続システムにおける１つの基地局の下でユーザ機器は１つのセルから他のセルへのハンドオーバを有し、基地局は図１３に示されるように二重接続性構成をサポートする。
【００９５】
本実施形態の好ましいソリューションは以下のステップを含む。
【００９６】
ユーザ機器が基地局の１つのセルＡから他のセルＢへハンドオーバすることを必要とする旨が決定された場合、基地局は、基地局と共同で二重接続性サービスをユーザ機器に提供する２次基地局にリリース要求を送信し、このステップは、接続再構成情報をユーザ機器に送信するステップと同時に実行することができる。
【００９７】
次に、２次基地局はリリース応答を基地局に送信する。
【００９８】
次に、ユーザ機器のハンドオーバが完了した後、基地局は追加要求を２次基地局に送信する。
【００９９】
次に、２次基地局は追加応答を基地局に送信し、それによって基地局との接続を再構成する。
【０１００】
好ましくは、リリース要求を受信した後、２次基地局は基地局にＳＮ状況を送信し、ユーザ機器に関するデータを転送し、その上、基地局への再接続後、２次基地局は基地局からＳＮ状況およびデータを取得する。この様式は既存の標準により近く、実施がより容易である。
【０１０１】
あるいは好ましくは、２次基地局はＳＮ状況およびユーザ機器に関するデータをそれ自体に保存することが可能であり、基地局との接続を再確立した後、保存されたデータに基づいてユーザ機器へのサービスを続行する。接続を再確立した後、２次基地局のキーが変更されることになるため、保存されたＳＮ状況およびデータに関するＰＤＣＰ  ＰＤＵを新しいキーに基づいて再形成することが必要であることに留意されたい。しかしながら、ユーザ・プレーン・アーキテクチャの一部、たとえば３Ｃの場合、新しいキーに基づいてＰＤＣＰ  ＰＤＵを再形成することは不可能であるため、ＳＮ状況およびユーザ機器に関するデータをそれ自体に保存する様式を、こうしたユーザ・プレーン・アーキテクチャを伴う二重接続性構成に適合させることはできない。
【０１０２】
本実施形態の別の好ましいソリューションは、以下のステップを含む。
【０１０３】
ユーザ機器が基地局の１つのセルから他の基地局にハンドオーバする必要がある旨が決定された場合、基地局は、基地局と共同で二重接続性サービスをユーザ機器に提供する２次基地局への送信を停止する命令を送信する。
【０１０４】
次に、ユーザ機器のハンドオーバが完了した後、基地局は再構成情報および送信開始命令を２次基地局に送信し、２次基地局のデータ送信を再開する。
【０１０５】
本ソリューションはより高速かつ効果的である。
【０１０６】
実施形態６
本実施形態において、ユーザ機器の２次基地局は図１４に示されるように変化する。本実施形態は以下のステップを含む。
【０１０７】
共同で二重接続性サービスをユーザ機器に提供する２次基地局の変更が必要である旨をマスタ基地局が決定した場合、リリース要求を２次基地局に送信する。
【０１０８】
２次基地局はリリース応答をマスタ基地局に送信する。
【０１０９】
２次基地局はそのＳＮ状況を送信し、ユーザ機器に関するデータを転送する。ここで２次基地局は、マスタ基地局または新しい２次基地局にそのＳＮ状況を送信し、ユーザ機器に関するデータ転送する。以下で、特有の様式について説明する。
【０１１０】
マスタ基地局は追加要求を送信する１つの基地局を選択し、追加要求は、この基地局を、マスタ基地局と共同で二重接続性サービスをユーザ機器に提供する２次基地局として追加するように要求するためのものである。
【０１１１】
追加要求を受信した基地局は、マスタ基地局の新しい２次基地局として動作するように、追加応答をマスタ基地局に送信する。
【０１１２】
新しい２次基地局はＳＮ状況およびデータを受信し、ユーザ機器との接続を確立するが、新しい２次基地局はマスタ基地局または元の２次基地局からＳＮ状況およびデータを受信することができる。以下で、特有の様式について説明する。
【０１１３】
マスタ基地局はユーザ機器によって送信された２次基地局のリリース確認応答情報を２次基地局に転送し、ユーザ機器によって送信された新しい２次基地局の追加確認応答情報を新しい２次基地局に転送する。
【０１１４】
本実施形態の好ましいソリューションに基づく方法のフロー図が提示された、図１５を参照されたい。
【０１１５】
ステップＳ５０１において、共同で二重接続性サービスをユーザ機器に提供する２次基地局が変更を必要とする旨をマスタ基地局が決定した場合、リリース要求を２次基地局に送信する。
【０１１６】
ここで変更は、マスタ基地局または２次基地局によってトリガ可能である。好ましくは、２次基地局の変更は、２次基地局の下で二重接続性サービスをユーザ機器に提供する２次セル（ＳＰｃｅｌｌ）の変更によって生じる。たとえば２次基地局の下で二重接続性サービスをユーザ機器に提供する２次セルは、過負荷または不良なワイヤレス状態などとなるように変更され、２次基地局の下で他のセルは相対的に良好な二重接続性サービスをユーザ機器に提供することができず、次いでマスタ基地局は、本２次基地局以外の基地局の下でセルを２次基地局として選択することが必要である旨を決定し、それによって２次基地局の変更などをトリガする。本明細書では、２次セルはマスタ基地局の下でユーザ機器にサービスを提供する１次セル（Ｐｃｅｌｌ）の機能の一部、たとえばＲＡＲメッセージの場合、２次基地局などの上のすべてのＰＲＡＣＨ（物理ランダム・アクセス・チャネル）のアップリンクのアップリンク制御チャネル伝送を有することが可能である。
【０１１７】
ステップＳ５０２において、２次基地局はリリース応答をマスタ基地局に送信する。
【０１１８】
ステップＳ５０２の後、２次基地局によって送信されたリリース応答を受信した後、マスタ基地局は、２次基地局とのその接続をリリースするように、ユーザ機器を再構成するために接続再構成情報、たとえばＲＲＣ接続再構成情報をユーザ機器に送信することが可能であることに留意されたい。接続再構成情報に基づく正常な構成の後、ユーザ機器は、基地局が正常に再構成された旨を基地局に通知し、元の２次基地局をリリースするように、接続再構成完了情報を２次基地局のリリース確認応答情報としてマスタ基地局に送信する。マスタ基地局は、ステップＳ５０２とステップＳ５０４との間でユーザ機器によって送信される２次基地局のリリース確認応答情報を受信することができる。
【０１１９】
ステップＳ５０３において、リリース応答を送信した後、２次基地局はそのＳＮ状況を送信し、ユーザ機器に関するデータを転送する。
【０１２０】
具体的に言えば、好ましい本ソリューションにおいて、２次基地局はＳＮ状況をマスタ基地局に送信し、データ転送を実行する。
【０１２１】
ステップＳ５０４において、マスタ基地局はユーザ機器によって送信された２次基地局のリリース確認応答情報を２次基地局に転送する。次いで元の２次基地局は、ユーザ機器がそれへの接続を解除した旨を確認応答することができる。
【０１２２】
ステップＳ５０５において、マスタ基地局は追加要求を送信するために１つの基地局を選択し、追加要求は、この基地局を、マスタ基地局と共同で二重接続性サービスをユーザ機器に提供する２次基地局として追加するように要求するためのものである。
【０１２３】
ステップＳ５０６において、追加要求を受信した基地局は、マスタ基地局の新しい２次基地局として動作するように、追加応答をマスタ基地局に送信する。
【０１２４】
ステップＳ５０７において、追加応答を受信した後、マスタ基地局は、元の２次基地局から受信したＳＮ状況およびデータを新しい２次基地局に送信する。
【０１２５】
好ましくは、追加応答を受信した後マスタ基地局は、新しい２次基地局への接続を確立することをユーザ機器に示すように、接続再構成情報をユーザ機器にさらに送信する。
【０１２６】
ステップＳ５０８において、新しい２次基地局はＳＮ状況およびデータを受信し、ユーザ機器への接続を確立する。
【０１２７】
ユーザ機器は、新しい２次基地局の追加確認応答情報をマスタ基地局に送信した後、ステップＳ５０９において、マスタ基地局は、ユーザ機器によって送信された新しい２次基地局の追加確認応答情報を新しい２次基地局に転送する。
【０１２８】
具体的に言えば、好ましい本ソリューションにおいて、新しい２次基地局はマスタ基地局によって提供されたＳＮ状況およびデータを受信する。
【０１２９】
上記ステップから、好ましい本ソリューションは、２回のデータ転送、すなわち元の２次基地局からマスタ基地局へのデータ転送、およびマスタ基地局から新しい２次基地局へのデータ転送を含むことがわかる。
【０１３０】
好ましい本ソリューションは１回または２回のパス・ハンドオーバを有し得ることに留意されたい。
【０１３１】
以下、２回のパス・ハンドオーバが存在するソリューションについて例示する。
【０１３２】
ステップＳ５０２の後で、ユーザ機器によってそこへ送信された２次基地局のリリース確認応答情報を受信した後、マスタ基地局は第１のパス・ハンドオーバ、すなわち、元の２次基地局を介したパスからマスタ基地局を介したパスへのハンドオーバを実行し、マスタ基地局は、接続再構成完了情報を元の２次基地局に送信することができる。第１のパス・ハンドオーバはステップＳ５０５の前に実行可能である。
【０１３３】
新しい２次基地局がユーザ機器との接続を確立した後、マスタ基地局は第２のパス・ハンドオーバ、すなわち、マスタ基地局を介したパスの一部から新しい２次基地局を介したパスへのハンドオーバを実行する。
【０１３４】
１回のパス・ハンドオーバが存在するソリューションについて説明する。
【０１３５】
ステップＳ５０２の後で、マスタ基地局がユーザ機器によってそこへ送信された２次基地局のリリース確認応答情報を受信した後、マスタ基地局は、パス・ハンドオーバを実行することなく元のパスを維持し、元の２次基地局を介したパスから新しい２次基地局を介したパスへハンドオーバするように、マスタ基地局は、新しい２次基地局とユーザ機器との間に接続が確立されるまで１回のパス・ハンドオーバのみを実行する。
【０１３６】
本実施形態の別の好ましいソリューションに基づく方法のフロー図が提示された、図１６を参照されたい。
【０１３７】
ステップＳ５０１において、マスタ基地局は、共同で二重接続性サービスをユーザ機器に提供する２次基地局が変更を必要とする旨を決定した場合、リリース要求を２次基地局に送信する。
【０１３８】
ステップＳ５０２において、２次基地局はリリース応答をマスタ基地局に送信する。
【０１３９】
好ましい本ソリューションにおいて、ステップＳ５０２の後で２次基地局はステップＳ５０３を実行しない。マスタ基地局は以下のステップＳ５０４を直接実行する。
【０１４０】
ステップＳ５０５において、マスタ基地局は追加要求を送信するために１つの基地局を選択し、追加要求は、マスタ基地局と共同で二重接続性サービスをユーザ機器に提供する２次基地局として基地局を追加するように要求するためのものである。
【０１４１】
ステップＳ５０６において、追加要求を受信した基地局は、マスタ基地局の新しい２次基地局として動作するように追加応答をマスタ基地局に送信する。
【０１４２】
次に、ステップＳ５１０において、追加応答を受信した後、マスタ基地局はデータ転送要求を２次基地局に送信し、２次基地局をリリースして新しい２次基地局を追加する命令をユーザ機器に送信する。
【０１４３】
本明細書では、２次基地局をリリースして新しい２次基地局を追加する命令は、接続再構成情報を介して実装可能である。
【０１４４】
ステップＳ５０７’において、データ転送要求を受信した後、２次基地局はそのＳＮ状況を送信し、ユーザ機器に関するデータを転送する。
【０１４５】
具体的に言えば、好ましい本ソリューションにおいて、２次基地局はそのＳＮ状況を新しい２次基地局に送信し、ユーザ機器に関するデータを転送する。好ましくは、２次基地局は、ＳＮ状況およびデータを新しい２次基地局に送信するために、ＳＮ状況およびデータを、それ自体と新しい２次基地局との間の一時インターフェース、たとえば一時Ｘｎインターフェースを介して新しい２次基地局に送信することができる。一時インターフェースは、ＳＮ状況およびデータが完全に送信された後、リリースすることができる。
【０１４６】
ステップＳ５０８’において、新しい２次基地局はＳＮ状況およびデータを受信し、ユーザ機器との接続を確立する。
【０１４７】
具体的に言えば、好ましい本ソリューションにおいて、新しい２次基地局は、２次基地局によって提供されたＳＮ状況およびデータを直接受信する。
【０１４８】
好ましい本ソリューションのステップＳ５０４およびステップＳ５０９は同時に実行することが可能であり、すなわち、マスタ基地局がユーザ機器によって送信された２次基地局のリリース確認応答情報を２次基地局に転送し、ユーザ機器によって送信された新しい２次基地局の追加確認応答情報を新しい２次基地局に転送するステップを、同時に実行することが可能である。
【０１４９】
上記のステップから、好ましい本ソリューションは、１回のデータ転送、すなわち元の２次基地局から新しい２次基地局へのデータ転送のみを含むことがわかる。
【０１５０】
好ましい本ソリューションは、１回のパス・ハンドオーバのみを提示することもできることに留意されたい。具体的に言えば、好ましい本ソリューションは、新しい２次基地局がユーザ機器との接続を確立した後に、パス・ハンドオーバ、すなわち、元の２次基地局を介したパスから新しい２次基地局を介したパスへのハンドオーバを実行することができる。
【０１５１】
好ましい本ソリューションは、データ転送およびパス・ハンドオーバの回数を減らし、それによって信号オーバヘッドを低下させることができる。
【０１５２】
ユーザ機器との実際の条件に基づき、二重接続性システムにおける１つの基地局は、ソース基地局、ターゲット基地局、および２次基地局のうちのいずれか１つとして動作可能であり、ソース基地局およびターゲット基地局はユーザ機器ハンドオーバ・プロセス中のマスタ基地局であることに留意されたい。
【０１５３】
本発明の基地局は様々なデバイスを備えることが可能であり、様々なデバイスは本発明の異なるステップおよび／または機能を実施することができる。本開示は、ソフトウェアまたはソフトウェアとハードウェアの組み合わせで実装可能であり、たとえば、専用集積回路（ＡＳＩＣ）、汎用コンピュータ、または任意の他の同様のハードウェア・デバイスによって実装可能であることに留意されたい。実施形態において、本開示のソフトウェア・プログラムは、上記のステップまたは機能を実装するようにプロセッサによって実行可能である。同様に、本開示のソフトウェア・プログラム（関連するデータ構造を含む）は、コンピュータ可読記録媒体、たとえばＲＡＭメモリ、磁気または光ドライバ、あるいはフロッピーディスク、および同様のデバイスに記憶することができる。その上、本開示の機能のうちのいくつかのステップは、ハードウェア、たとえば様々な機能またはステップを実行するためのプロセッサと協働する回路によって実装可能である。
【０１５４】
当業者であれば、本開示は上記の例示の実施形態の細部に限定されないこと、および本開示は、本開示の趣旨または基本的機能を逸脱することなく他の形で実装可能であることが明らかであろう。したがって実施形態は、決して限定的ではなく例として見なすべきであり、本開示の範囲は上記の説明ではなく添付の請求項によって限定される。したがって、請求項の等価の要素の意味および範囲内にあることが意図されるすべての変形形態は、本開示内でカバーされているものとする。請求項内のいかなる参照符号も、関連する請求項を限定するものと見なされるべきではない。その上、「備える／備えている／含む／含んでいる」という用語は、他のユニットおよびステップを排除するものではなく、単数形は複数形を排除するものではないことが明らかである。装置請求項に記載された複数のユニットまたは手段は、ソフトウェアまたはハードウェアを介して単数のユニットまたは手段によっても実装可能である。第１および第２などの用語は名前を示すために使用されるが、いずれの特定の順序をも示すものではない。
【図１】
2017507581.tif 000003
【図２】
2017507581.tif 000004
【図３】
2017507581.tif 000005
【図４】
2017507581.tif 000006
【図５】
2017507581.tif 000007
【図６】
2017507581.tif 000008
【図７】
2017507581.tif 000009
【図８】
2017507581.tif 000010
【図９】
2017507581.tif 000011
【図１０】
2017507581.tif 000012
【図１１】
2017507581.tif 000013
【図１２】
2017507581.tif 000014
【図１３】
2017507581.tif 000015
【図１４】
2017507581.tif 000016
【図１５】
2017507581.tif 000017
【図１６】
2017507581.tif 000018
【国際調査報告】
2017507581.tif 000019
2017507581.tif 000020
2017507581.tif 000021
2017507581.tif 000022
2017507581.tif 000023
2017507581.tif 000024